(57)【要約】【課題】ボールペンチップ前端からのインキの漏出を確実に防止できる出没式ボールペンを提供する。【解決手段】前端にボールペンチップ５１を備えたレフィル５を軸筒２内に前後方向に移動可能に収容する。レフィル５を後方に付勢する弾発体３を軸筒２内に収容する。軸筒２の前端孔２１よりボールペンチップ５１を出没自在にする出没機構４を備える。レフィル５のインキ収容部６内にインキ５２と追従体５３とを収容する。レフィル５内のインキ供給路に弁部８を設ける。ペン先突出状態において、弁部８が開放し、ボールペンチップ５１前端へのインキ供給が可能となる。一方、ペン先没入状態において、弁部８が閉鎖し、ボールペンチップ５１前端へのインキ供給が不能となる。【選択図】  図１
2008126553.tif 000002
【特許請求の範囲】
【請求項１】
前端にボールペンチップを備えたレフィルを軸筒内に前後方向に移動可能に収容し、前記レフィルを後方に付勢する弾発体を軸筒内に収容し、前記軸筒の前端孔より前記ボールペンチップを出没自在にする出没機構を備えた出没式ボールペンであって、前記レフィルが、前端にボールを回転可能に抱持したボールペンチップと、前記ボールペンチップを前端に備えたインキ収容部とからなり、前記インキ収容部内に、インキと、該インキの後端に配置され且つ該インキの消費に伴って前進する追従体とを収容し、前記レフィル内のインキ供給路に弁部を設け、ペン先突出状態において、前記弁部が開放し、ボールペンチップ前端へのインキ供給が可能となり、一方、ペン先没入状態において、前記弁部が閉鎖し、ボールペンチップ前端へのインキ供給が不能となることを特徴とする出没式ボールペン。
【請求項２】
前記弁部が、インキ収容部の内壁に固定された弁座と、前記弁座より前方に配置され且つ前記弁座に密接可能な弁体とからなり、前記弁体前方のレフィル内に弁用弾発体を収容し、前記弁用弾発体が前記弁体を後方に付勢し、レフィル後方の軸筒内に、前記レフィルを前方に押圧可能な押圧部を有する出没機構を設け、前記弁体と前記押圧部との間に、前記弁体と前記押圧部とを連結する棒状部を設け、前記軸筒の内壁に当接壁部を設け、ペン先突出状態において、前記弁体と前記弁座とが離間し、前記弁部が開放し、ペン先没入状態において、前記弁体と前記弁座とが密接し、前記弁部が閉鎖するとともに、前記当接壁部が、レフィルと当接し且つレフィルの後方移動を規制してなる請求項１記載の出没式ボールペン。
【請求項３】
ボールペンチップ後方のインキ収容部の側壁に、前後方向に伸縮可能な伸縮壁部を設け、前記伸縮壁部の前方のインキ収容部の内壁と、前記伸縮壁部の後方のインキ収容部の内壁とを、連結部により連結し、前記弁部が、前記伸縮壁部の前方のインキ収容部の内壁に固定した弁座と、前記弁座より後方に配置され且つ前記弁座に密接可能な弁体とからなり、前記弁体後方のレフィル内に弁用弾発体を収容し、前記弁用弾発体の後端が、前記伸縮壁部後方のインキ収容部の内壁に係止され、前記弁用弾発体の前端が、弁体に当接し且つ弁体を前方に付勢し、前記伸縮壁部の中間部内壁に内側段部を設け、前記内側段部に、前記弁用弾発体により前方に付勢された前記弁体が係止され、前記内側段部の前方の伸縮壁部を第１の伸縮壁部とし、前記内側段部の後方の伸縮壁部を第２の伸縮壁部とし、前記第１の伸縮壁部と第２の伸縮壁部との間の外壁に外側段部を設け、前記軸筒の内壁に当接壁部を設け、ペン先突出状態において、前記当接壁部と前記外側段部とが当接し、前記第１の伸縮壁部が伸張し且つ前記第２の伸縮壁部が収縮することにより、前記弁体と前記弁座とが離間し、前記弁部が開放し、ペン先没入状態において、前記当接壁部と前記外側段部とが離間し、前記第１の伸縮壁部が収縮し且つ前記第２の伸縮壁部が伸張することにより、前記弁体と前記弁座とが密接し、前記弁部が閉鎖してなる請求項１記載の出没式ボールペン。
【発明の詳細な説明】
【技術分野】
【０００１】
本発明は、出没式ボールペンに関する。詳細には、軸筒内にレフィルを軸筒内に前後方向に移動可能に収容し、レフィルのボールペンチップを軸筒の前端孔から出没自在にする出没機構を備えた出没式ボールペンに関する。
【背景技術】
【０００２】
従来この種の出没式ボールペンにおいて、特許文献１には、非使用時にインキがペン先から漏れ出すことを防止する目的で、ペン先が格納位置にある時に、レフィルの後端開口部を封止する構造が開示されている。
【０００３】
また、特許文献２には、先端ボールをチップのボール抱持部の内縁に強く密接させ、インキの直流、逆流、乾燥を防止する目的で、チップ内孔にスプリングが内挿されて、スプリングが先端ボールを押圧し、インキ収容管の後端から適宜突出する外軸部を有する押し体が、前記スプリングの後端を押圧する構成が開示されている。
【特許文献１】特開２００４−８２４３１号公報
【特許文献２】特許第３５５３６９９号公報
【発明の開示】
【発明が解決しようとする課題】
【０００４】
ところが、前記特許文献１の出没式ボールペンは、非使用時にレフィルの後端開口部からの空気の取り込みを阻止する構成であるため、ペン先没入状態で落下等の衝撃が加わった場合、レフィル内のインキの移動を十分に阻止することができず、インキが、ペン先側に移動し、ペン先より漏出するおそれがある。
【０００５】
また、前記特許文献２の出没式ボールペンは、ペン先が軸筒内に没入した状態では、先端ボールがチップのボール抱持部の内縁に強く密接された状態となるため、長期間、この状態が維持されると、ボールペンチップ先端のボールがボール抱持部から脱落し、かえって、ボールペンチップ前端からのインキの漏出を引き起こすおそれがある。
【０００６】
本発明は、前記従来の問題点を解決するものであって、ボールペンチップ前端からのインキの漏出を確実に防止できる出没式ボールペンを提供しようとするものである。尚、本発明で、ペン先没入状態とは、ボールペンチップの前端が軸筒内に収納された状態をいう。ペン先突出状態とは、ボールペンチップの前端が軸筒の前端より外部に突出された状態をいう。
【課題を解決するための手段】
【０００７】
＜第１の発明＞
本願の第１の発明は、前端にボールペンチップ５１を備えたレフィル５を軸筒２内に前後方向に移動可能に収容し、前記レフィル５を後方に付勢する弾発体３を軸筒２内に収容し、前記軸筒２の前端孔２１より前記ボールペンチップ５１を出没自在にする出没機構４を備えた出没式ボールペンであって、前記レフィル５が、前端にボールを回転可能に抱持したボールペンチップ５１と、前記ボールペンチップ５１を前端に備えたインキ収容部６とからなり、前記インキ収容部６内に、インキ５２と、該インキ５２の後端に配置され且つ該インキ５２の消費に伴って前進する追従体５３とを収容し、前記レフィル５内のインキ供給路に弁部８を設け、ペン先突出状態において、前記弁部８が開放し、ボールペンチップ５１前端へのインキ供給が可能となり、一方、ペン先没入状態において、前記弁部８が閉鎖し、ボールペンチップ５１前端へのインキ供給が不能となることを特徴とする。（図１乃至図１１に対応）
【０００８】
前記第１の発明の出没式ボールペン１は、ペン先没入状態では、ボールペンチップ５１前端へのインキ供給が弁部８により遮断されているため、ペン先没入状態で、落下等の衝撃が加わったり長期間保管したりしても、ボールペンチップ５１前端からインキが漏出することを確実に防止できる。
【０００９】
＜第２の発明＞
本願の第２の発明は、前記第１の発明において、前記弁部８が、インキ収容部６の内壁に固定された弁座８１と、前記弁座８１より前方に配置され且つ前記弁座８１に密接可能な弁体８２とからなり、前記弁体８２前方のレフィル５内に弁用弾発体９を収容し、前記弁用弾発体９が前記弁体８２を後方に付勢し、レフィル５後方の軸筒２内に、前記レフィル５を前方に押圧可能な押圧部４１を有する出没機構４を設け、前記弁体８２と前記押圧部４１との間に、前記弁体８２と前記押圧部４１とを連結する棒状部８３を設け、前記軸筒２の内壁に当接壁部２２を設け、ペン先突出状態において、前記弁体８２と前記弁座８１とが離間し、前記弁部８が開放し、ペン先没入状態において、前記弁体８２と前記弁座８１とが密接し、前記弁部８が閉鎖するとともに、前記当接壁部２２が、レフィル５と当接し且つレフィル５の後方移動を規制してなることを特徴とする。（図１乃至図５に対応）
【００１０】
前記第２の発明の出没式ボールペン１は、ペン先没入状態において、軸筒２内壁の当接壁部２２がレフィル５と当接し、レフィル５の後方移動が規制されるため、弁用弾発体９の後方付勢により弁体８２と弁座８１との強い密接状態が得られ、その結果、ペン先没入状態において確実な弁部８の閉鎖が可能となる。
【００１１】
＜第３の発明＞
本願の第３の発明は、前記第１の発明において、ボールペンチップ５１後方のインキ収容部６の側壁に、前後方向に伸縮可能な伸縮壁部７を設け、前記伸縮壁部７の前方のインキ収容部６の内壁と、前記伸縮壁部７の後方のインキ収容部６の内壁とを、連結部６５ｂにより連結し、前記弁部８が、前記伸縮壁部７の前方のインキ収容部６の内壁に固定した弁座８１と、前記弁座８１より後方に配置され且つ前記弁座８１に密接可能な弁体８２とからなり、前記弁体８２後方のレフィル５内に弁用弾発体９を収容し、前記弁用弾発体９の後端が、前記伸縮壁部７後方のインキ収容部６の内壁に係止され、前記弁用弾発体９の前端が、弁体８２に当接し且つ弁体８２を前方に付勢し、前記伸縮壁部７の中間部内壁に内側段部７３を設け、前記内側段部７３に、前記弁用弾発体９により前方に付勢された前記弁体８２が係止され、前記内側段部７３の前方の伸縮壁部７を第１の伸縮壁部７１とし、前記内側段部７３の後方の伸縮壁部７を第２の伸縮壁部７２とし、前記第１の伸縮壁部７１と第２の伸縮壁部７２との間の外壁に外側段部７４を設け、前記軸筒２の内壁に当接壁部２２を設け、ペン先突出状態において、前記当接壁部２２と前記外側段部７４とが当接し、前記第１の伸縮壁部７１が伸張し且つ前記第２の伸縮壁部７２が収縮することにより、前記弁体８２と前記弁座８１とが離間し、前記弁部８が開放し、ペン先没入状態において、前記当接壁部２２と前記外側段部７４とが離間し、前記第１の伸縮壁部７１が収縮し且つ前記第２の伸縮壁部７２が伸張することにより、前記弁体８２と前記弁座８１とが密接し、前記弁部８が閉鎖してなることを特徴とする。（図６乃至図１１に対応）
【００１２】
前記第３の発明の出没式ボールペン１は、弁体８２が弁用弾発体９により前方に付勢されているため、ペン先没入状態且つペン先下向き状態で落下等の衝撃が加わった際、インキ収容部６内のインキにより、弁体８２が弁座８１に一層強く密接されるため、弁部８が開放するおそれがない。その結果、ペン先没入状態において確実な弁部８の閉鎖が可能となる。
【発明の効果】
【００１３】
本発明の出没式ボールペンは、ボールペンチップ前端からのインキの漏出を確実に防止できる。
【発明を実施するための最良の形態】
【００１４】
＜第１の実施の形態＞
本発明の出没式ボールペン１の第１の実施の形態を図１乃至図５に示す。
本実施の形態の出没式ボールペン１は、前端にボールペンチップ５１を備えたレフィル５と、前記レフィル５を内部に収容する軸筒２と、前記レフィル５を後方に付勢する弾発体３と、前記レフィル５を前進後退させる出没機構４とを備える。
【００１５】
軸筒２は、前端に前端孔２１を有する。前記前端孔２１を通して、ボールペンチップ５１の前端が外部に突出及び内部に没入される。前記軸筒２の後部内壁には、レフィル５の外壁（具体的にはレフィル５の後端）と当接可能な当接壁部２２が形成される。ここでは、前記当接壁部２２は、軸方向に伸びるリブよりなる。また、前記軸筒２の後端には、後端孔が形成され、前記後端孔から外部に出没機構４の操作部４２が突出される。
【００１６】
前記軸筒２は、円筒状の前軸２３と、前記前軸２３の後端部と螺着により連結される円筒状の後軸２４とから構成される。前記前軸２３の前端には、前記前端孔２１が形成される。前記後軸２４の内壁には、前記当接壁部２２が形成され、前記後軸２４の後端には、後端孔が形成される。
【００１７】
軸筒２の内部には、弾発体３（具体的には圧縮コイルスプリング）が収容される。前記弾発体３の前端は、軸筒２の内壁（具体的には、軸筒２の前端孔２１後方の前端部内壁）に係止される。前記弾発体３の後端は、レフィル５外面の段部５４に係止される。前記弾発体３により、レフィル５が後方に常時付勢される。
【００１８】
前記出没機構４は、後端より突出する操作部４２を前方に押圧することにより、レフィル５を前進させ、ペン先突出させるノック式である。これ以外にも、前記出没機構４は、操作部４２や軸筒２を回転させることにより、ペン先を出没させる回転式であってもよい。また、前記出没機構４は、少なくとも、レフィル５を前方に押圧する押圧部４１を有する。前記押圧部４１は、レフィル５の後端と当接可能である。
【００１９】
前記レフィル５は、ボールペンチップ５１と、前記ボールペンチップ５１を前端に備えたインキ収容部６とからなる。前記インキ収容部６は、ボールペンチップ５１の後端が固着されるペン先保持筒６２と、前記ペン先保持筒６２の後端が固着されるインキ収容筒６１とからなる。前記インキ収容部６には、インキ５２（具体的には、低粘度水性インキ、水性ゲルインキ、または低粘度油性インキ）と、該インキ５２の後端に配置され且つ該インキ５２の消費に伴って前進する追従体５３（具体的には高粘度流体）とが収容される。前記インキ収容筒６１の後端は、開口され、そこに、前後に内孔が貫設された筒体よりなる尾栓５５が固着される。
【００２０】
前記インキ収容部６の前部内部には、弁座８１と弁体８２とからなる弁部８が収容配置される。前記インキ収容部６の内壁（具体的にはペン先保持筒６２の内壁）には、環状突出部よりなる弁座８１が形成される。前記弁座８１の前方のインキ収容部６内（具体的にはペン先保持筒６２内）には、前記弁座８１に密接可能な弁体８２が収容配置される。前記弁体８２の前方のインキ収容部６内（具体的にはペン先保持筒６２内及びボールペンチップ５１内）には弁用弾発体９（具体的には圧縮コイルスプリング）が収容配置される。
【００２１】
前記インキ収容部６内には、棒状部８３が収容され、前記棒状部８３の前端が前記弁体８２と連結され（具体的には前記棒状部８３の前端と前記弁体８２が一体に連設され）、前記棒状部８３の後端が出没機構４の押圧部４１と当接される。前記棒状部８３は、弁座８１内部を貫通し且つ追従体５３内部を貫通し、インキ中に配置される。
【００２２】
前記ボールペンチップ５１の前端には、回転可能にボールが抱持される。前記ボールペンチップ５１の内壁には、弁用弾発体９の前端が係止される。
【００２３】
本実施の形態では、インキ収容部６の後端開口部は、ペン先突出状態において、開放され、外部と通気可能に構成される。それにより、追従体５３の後方のインキ収容部６内の空間と外部とが、インキ収容部６の後端開口部を介して通気可能である。
【００２４】
・作用
本実施の形態の出没式ボールペン１の作用を説明する。
図１及び図４に筆記時の状態を示す。この状態において、レフィル５後端は出没機構４の押圧部４１に当接し、レフィル５の後方移動が規制されるとともに、弁部８は開放状態となっている。
図２に筆記時と非筆記時との間の状態を示す。この状態において、レフィル５後端は軸筒２内壁の当接壁部２２に当接し、レフィル５の後方移動が規制されるとともに、弁部８が開放状態となっている。
図３及び図５に非筆記時の状態を示す。この状態において、レフィル５後端は軸筒２内壁の当接壁部２２に当接し、レフィル５の後方移動が規制されるとともに、弁部８が閉鎖状態となっている。
【００２５】
・ペン先突出操作
非筆記時の状態（図３参照）から筆記時の状態（図１参照）に移行させるために、出没機構４を操作すると、まず、弁用弾発体９の後方付勢に抗して、押圧部４１が前方に移動する。それにより、押圧部４１がレフィル５の後端と当接し、弁体８２と弁座８１とが離間し、弁体８２と弁座８１との密接が解除され、弁部８が開放された状態となる（図２参照）。さらに、弾発体３の後方付勢に抗して押圧部４１を前進させると、ボールペンチップ５１前端が完全に軸筒２の前端より突出した状態（ペン先突出状態）となる（図３参照）。そして、出没機構４により、このペン先突出状態が維持されるとともに、弁部８後方のインキが開放状態の弁部８を通ってボールペンチップ５１に供給され、筆記可能となる。
【００２６】
・ペン先没入操作
筆記時の状態（図１参照）から非筆記時の状態（図３参照）に移行させるために、出没機構４を操作すると、まず、弾発体３の後方付勢により、レフィル５が後方に移動する。それにより、レフィル５後端が当接壁部２２に当接し、レフィル５の後方移動が規制され、ボールペンチップ５１前端が完全に軸筒２内に収納した状態（ペン先没入状態）となる（図２参照）。さらに、弁用弾発体９の後方付勢により弁体８２が後方に移動し、前記弁体８２と弁座８１とが密接し、弁部８が閉鎖される（図３参照）。それにより、弁部８後方のインキがボールペンチップ５１に供給不能となり、ボールペンチップ５１前端からのインキの漏出を防止できる。
【００２７】
＜第２の実施の形態＞
本発明の出没式ボールペン１の第２の実施の形態を図６乃至図１１に示す。
本実施の形態の出没式ボールペン１は、前端にボールペンチップ５１を備えたレフィル５と、前記レフィル５を内部に収容する軸筒２と、前記レフィル５を後方に付勢する弾発体３と、前記レフィル５を前進後退させる出没機構４とを備える。
【００２８】
軸筒２は、前端に前端孔２１を有する。前記前端孔２１を通して、ボールペンチップ５１の前端が外部に突出及び内部に没入される。前記軸筒２の前部内壁には、レフィル５の外壁（具体的にはレフィル５の外側段部７４）と当接可能な当接壁部２２が形成される。前記軸筒２の後端には、後端孔が形成され、前記後端孔から外部に出没機構４の操作部４２が突出される。
【００２９】
前記軸筒２は、円筒状の前軸２３と、前記前軸２３の後端部と螺着により連結される円筒状の後軸２４とから構成される。前記前軸２３の前端には、前記前端孔２１が形成され、前記前軸２３の内壁には、前記当接壁部２２が形成される。前記後軸２４の後端には、後端孔が形成される。
【００３０】
軸筒２の内部には、弾発体３（具体的には圧縮コイルスプリング）が収容される。前記弾発体３の前端は、軸筒２の内壁（具体的には、軸筒２の前端孔２１後方の当接壁部２２）に係止される。前記弾発体３の後端は、レフィル５外面の段部５４に係止される。前記弾発体３により、レフィル５が後方に常時付勢される。
【００３１】
前記出没機構４は、後端より突出する操作部４２を前方に押圧することにより、レフィル５を前進させ、ペン先突出させるノック式である。これ以外にも、前記出没機構４は、操作部４２や軸筒２を回転させることにより、ペン先を出没させる回転式であってもよい。
【００３２】
前記レフィル５は、ボールペンチップ５１と、前記ボールペンチップ５１を前端に備えたインキ収容部６とからなる。前記インキ収容部６は、ボールペンチップ５１の後端が固着されるペン先保持筒６２と、前記ペン先保持筒６２の後端が固着される伸縮筒６３と、前記伸縮筒６３の後端が固着される接続筒６４と、前記接続筒６４の後端が固着されるインキ収容筒６１とからなる。
【００３３】
前記伸縮壁部７の前方のインキ収容部６内壁（具体的にはペン先保持筒６２内壁）と、伸縮壁部７の後方のインキ収容部６内壁（具体的には接続筒６４内壁）とを、棒状の連結体６５により連結される。前記連結体６５は、前端部に軸方向の複数本（具体的には４本）のリブ６５ａを備える。前記連結体６５のリブ６５ａの後端には、複数（具体的には４個）の弁孔を備えた円板状の弁座８１が一体に形成される。前記弁座８１の後方には、棒状の連結部６５ｂが形成される。棒状の連結部６５ｂの後端は、接続筒６４の内壁に一体に形成された支持壁部６４ａに固着される。前記支持壁部６４ａは、接続筒６４の内壁と複数本（具体的には４本）のリブにより連結される。
【００３４】
前記伸縮筒６３内には、弁体８２が、前後方向に移動可能に収容配置される。前記弁体８２は、軸方向に中心孔が貫設され、前端に弁座８１と密接可能なシール部を備え、後端に複数本（具体的には４本）の放射状の突起よりなるバネ受け部８２ａとを備える。前記中心孔に連結部６５ｂが遊挿される。前記弁体８２の後方の伸縮筒６３内には、弁用弾発体９（具体的には圧縮コイルスプリング）が収容配置される。前記弁用弾発体９の前端は、前記バネ受け部８２ａに当接し、前記弁用弾発体９の後端は、接続筒６４の内壁に一体に形成された支持壁部６４ａに当接される。前記弁用弾発体９により弁体８２が前方に付勢される。
【００３５】
前記伸縮筒６３は、ペン先保持筒６２の外壁に固着される前端筒部と、接続筒６４部の外壁に固着される後端筒部と、前記前端筒部と前記後端筒部との間に形成される伸縮壁部７（具体的には蛇腹状の側壁）とからなる。前記伸縮壁部７と後端壁部との間の外壁には、弾発体３の後端が係止可能な段部５４が形成される。
【００３６】
前記伸縮壁部７の中間部には、前方に付勢された弁体８２が係止可能な内側段部７３が形成される。前記伸縮壁部７は、前記内側段部７３の前方の第１の伸縮壁部７１と、前記内側段部７３の後方の第２の伸縮壁部７２とからなる。前記第２の伸縮壁部７２の外径は、前記第１の伸縮壁部７１の外径より大きく設定される。前記第１の伸縮壁部７１と前記２の伸縮壁部７との間の外壁には、外側段部７４が形成される。ペン先突出時、前記外側段部７４が、軸筒２の内壁の当接壁部２２と当接する。
【００３７】
前記インキ収容部６には、インキ５２（具体的には、低粘度水性インキ、水性ゲルインキ、または低粘度油性インキ）と、該インキ５２の後端に配置され且つ該インキ５２の消費に伴って前進する追従体５３（具体的には高粘度流体）とが収容される。前記インキ収容筒６１の後端は、開口され、そこに、前後に内孔が貫設された筒体よりなる尾栓５５が固着される。
【００３８】
前記ボールペンチップ５１の前端には、回転可能にボールが抱持される。
【００３９】
本実施の形態では、インキ収容部６の後端開口部は、ペン先突出状態において、開放され、外部と通気可能に構成される。それにより、追従体５３の後方のインキ収容部６内の空間と外部とが、インキ収容部６の後端開口部を介して通気可能である。
【００４０】
・作用
本実施の形態の出没式ボールペン１の作用を説明する。
図６、図９及び図１０に筆記時の状態を示す。この状態において、ペン先が軸筒２の前端孔２１より外部に突出した状態にあり、当接壁部２２と外側段部７４が当接し、弁部８が開放状態となっている。
図７に筆記時と非筆記時との間の状態を示す。この状態において、ペン先が軸筒２内部  に僅かに没入した状態にあり、当接壁部２２と外側段部７４が当接し、弁部８が閉鎖状態となっている。
図８及び図１１に非筆記時の状態を示す。この状態において、ペン先が軸筒２内部に完全に没入した状態にあり、当接壁部２２と外側段部７４が当接が解除され、弁部８が閉鎖状態となっている。
【００４１】
・ペン先突出操作
非筆記時の状態（図８参照）から筆記時の状態（図６参照）に移行させるために、出没機構４を操作すると、まず、弾発体３の後方付勢に抗して、レフィル５が前方に移動する。それにより、伸縮壁部７の外側段部７４と軸筒２内壁の当接壁部２２が当接し、ボールペンチップ５１の前端が僅かに外部に突出した状態となる（図７参照）。さらに、弾発体３の後方付勢に抗して押圧部４１を前進させると、伸縮壁部７の外側段部７４が軸筒２内壁の当接壁部２２によって後方に押圧される。それにより、第１の伸縮壁部７１が前後方向に伸張し、第２の伸縮壁部７２が前後方向に収縮し、伸縮壁部７の内側段部７３に係止された弁体８２が、弁用弾発体９の前方付勢に抗して後方に押圧される。それにより、弁体８２と弁座８１との密接が解除され、弁部８が開放された状態となる。それと同時に、ボールペンチップ５１の前端が外部に突出した状態となる（図６参照）。そして、出没機構４により、このペン先突出状態が維持されるとともに、弁部８後方のインキが開放状態の弁部８を通ってボールペンチップ５１に供給され、筆記可能となる。
【００４２】
・ペン先没入操作
筆記時の状態（図６参照）から非筆記時の状態（図８参照）に移行させるために、出没機構４を操作すると、まず、弾発体３の後方付勢により、レフィル５が後方に移動する。それにより、ボールペンチップ５１の前端が僅かに没入した状態となり、伸縮壁部７の外側段部７４に対する軸筒２内壁の当接壁部２２の押圧力が弱まり、弁用弾発体９の前方付勢により、第１の伸縮壁部７１が前後方向に収縮し、第２の伸縮壁部７２が前後方向に伸張する。それに伴い、伸縮壁部７の内側段部７３に係止された弁体８２が前方に移動し、弁体８２と弁座８１とが密接し、弁部８が閉鎖される（図７参照）。さらに、弾発体３の後方付勢によりレフィル５が後方に移動し、ボールペンチップ５１の前端が完全に軸筒２内に没入した状態となる（図８参照）。弁部８が閉鎖された状態において、弁部８後方のインキがボールペンチップ５１に供給不能となり、ボールペンチップ５１前端からのインキ漏出を防止できる。
【００４３】
尚、本発明の第１の実施の形態及び第２の実施の形態に、ボールペンチップ５１前端のボールを弾発体等により前方に付勢し、非筆記時、ボールペンチップ５１前端の前端縁部にボールを密接させる構成を加えることもできる。
【図面の簡単な説明】
【００４４】
【図１】本発明の出没式ボールペンの第１の実施の形態の筆記時の状態を示す縦断面図である。
【図２】図１の出没式ボールペンの筆記時と非筆記時との間の状態を示す縦断面図である。
【図３】図１の出没式ボールペンの非筆記時の状態を示す縦断面図である。
【図４】図１の要部拡大縦断面図である。
【図５】図３の要部拡大縦断面図である。
【図６】本発明の出没式ボールペンの第２の実施の形態の筆記時の状態を示す縦断面図である。
【図７】図６の出没式ボールペンの筆記時と非筆記時との間の状態を示す縦断面図である。
【図８】図６の出没式ボールペンの非筆記時の状態を示す縦断面図である。
【図９】図６の要部拡大縦断面図である。
【図１０】（ａ）が図９のＡ−Ａ線断面図、（ｂ）が図９のＢ−Ｂ線断面図、（ｃ）が図９のＣ−Ｃ線断面図、（ｄ）が図９のＤ−Ｄ線断面図である。
【図１１】図８の要部拡大縦断面図である。
【符号の説明】
【００４５】
１  出没式ボールペン
２  軸筒
２１  前端孔
２２  当接壁部
２３  前軸
２４  後軸
３  弾発体
４  出没機構
４１  押圧部
４２  操作部
５  レフィル
５１  ボールペンチップ
５２  インキ
５３  追従体
５４  段部
５５  尾栓
６  インキ収容部
６１  インキ収容筒
６２  ペン先保持筒
６３  伸縮筒
６４  接続筒
６４ａ  支持壁部
６５  連結体
６５ａ  リブ
６５ｂ  連結部
７  伸縮壁部
７１  第１の伸縮壁部
７２  第２の伸縮壁部
７３  内側段部
７４  外側段部
８  弁部
８１  弁座
８２  弁体
８２ａ  バネ受け部
８３  棒状部
９  弁用弾発体
【図１】
2008126553.tif 000003
【図２】
2008126553.tif 000004
【図３】
2008126553.tif 000005
【図４】
2008126553.tif 000006
【図５】
2008126553.tif 000007
【図６】
2008126553.tif 000008
【図７】
2008126553.tif 000009
【図８】
2008126553.tif 000010
【図９】
2008126553.tif 000011
【図１０】
2008126553.tif 000012
【図１１】
2008126553.tif 000013